(57)【要約】【課題】出入口の有効開口幅を確保しながらも、出入口付近のスペースを有効に活用し得る引戸構造及びこれに用いられる引戸装置を提供する。【解決手段】引戸構造は、対向する第１壁面２と第２壁面３との対向方向に沿って開閉される第１引戸１４と第２引戸１７とが引分状に配され、かつこれら引戸の戸幅寸法を足し合わせた寸法がこれら引戸に開閉される出入口１３の幅寸法Ｗ２に応じた寸法とされており、前記第１壁面側には、前記第２引戸よりも戸幅寸法が大とされた前記第１引戸の戸幅寸法Ｗ５に応じた壁幅寸法Ｗ３とされ、かつ前記第１引戸が納められる第１壁部１１が該第１壁面から直交状に設けられている一方、前記第２壁面側には、前記第２引戸の戸幅寸法Ｗ６に応じた壁幅寸法Ｗ４とされ、かつ前記第２引戸が納められる第２壁部１２が該第２壁面から直交状に設けられている。【選択図】図１
2017089296.tif 000002
【特許請求の範囲】
【請求項１】
対向する第１壁面と第２壁面との対向方向に沿って開閉される第１引戸と第２引戸とが引分状に配され、かつこれら引戸の戸幅寸法を足し合わせた寸法がこれら引戸に開閉される出入口の幅寸法に応じた寸法とされており、
前記第１壁面側には、前記第２引戸よりも戸幅寸法が大とされた前記第１引戸の戸幅寸法に応じた壁幅寸法とされ、かつ前記第１引戸が納められる第１壁部が該第１壁面から直交状に設けられている一方、前記第２壁面側には、前記第２引戸の戸幅寸法に応じた壁幅寸法とされ、かつ前記第２引戸が納められる第２壁部が該第２壁面から直交状に設けられていることを特徴とする引戸構造。
【請求項２】
請求項１において、
前記第１壁部及び前記第２壁部には、前記第１引戸及び前記第２引戸のそれぞれを収容する戸袋空間が設けられていることを特徴とする引戸構造。
【請求項３】
請求項１または２において、
前記第１壁部の壁幅寸法は、当該第１壁部の壁厚方向一方側に配される設備機器の壁幅方向に沿う寸法に応じた寸法とされていることを特徴とする引戸構造。
【請求項４】
請求項１乃至３のいずれか１項において、
前記第２壁部の壁幅寸法に応じた奥行寸法とされた収納部が前記第２壁面から前記第２壁部の壁厚方向一方側に沿うように設けられていることを特徴とする引戸構造。
【請求項５】
請求項１乃至４のいずれか１項において、
前記第１引戸及び前記第２引戸のうちの一方の開閉に連動させて他方を開閉させる連動機構が設けられていることを特徴とする引戸構造。
【請求項６】
請求項１乃至５のいずれか１項に記載の引戸構造に用いられる引戸装置。
【発明の詳細な説明】
【技術分野】
【０００１】
本発明は、引戸構造及びこれに用いられる引戸装置に関する。
【背景技術】
【０００２】
従来より、様々なスペースを区画する両側の壁面間に跨るように設けられる間仕切壁に出入口を設け、この出入口を開閉する引戸を設けた構造が知られている。このような引戸構造では、家具や設備機器の出し入れや、車椅子等の出入が可能なように、所定寸法（例えば、７５０ｍｍ）以上の有効開口幅を確保することが望まれる。
例えば、下記特許文献１には、寝室と収納空間との間の出入口を中央部に配置し、この出入口を両開きの引戸によって開閉自在とした住居構造が開示されている。
【先行技術文献】
【特許文献】
【０００３】
【特許文献１】特願２００３−３１４０６８号公報
【発明の概要】
【発明が解決しようとする課題】
【０００４】
上記特許文献１に記載された住居構造では、寝室の対向する壁面間方向に沿って開閉される両開きの引戸を開放させれば、寝室の壁面間の半分程度の開口幅の出入口を確保することが可能である。しかしながら、対向する壁面間の寸法が、例えば、一間程度の洗面室や収納室等の狭小空間への出入口の開口幅を大きく確保する場合には、上記のような構造を採用し難いことが考えられた。例えば、引戸が納められる壁体に隣接させて洗面台や調理台等の設備機器が設置される場合が多々あるが、上記のような構造を採用した場合には、このような設備機器の奥行方向の全体が、引戸が納められる側の壁体の壁幅に納まり難くなることが考えられた。また、上記のような狭小空間への出入口を対向する壁面の一方に片寄らせ、この出入口を開閉する引戸を片引きとすることも考えられるが、この場合には、引戸が納められる壁体の壁幅が設備機器の奥行寸法よりも大きくなり過ぎることが考えられる。
【０００５】
本発明は、上記実情に鑑みてなされたものであり、出入口の有効開口幅を確保しながらも、出入口付近のスペースを有効に活用し得る引戸構造及びこれに用いられる引戸装置を提供することを目的としている。
【課題を解決するための手段】
【０００６】
上記目的を達成するために、本発明に係る引戸構造は、対向する第１壁面と第２壁面との対向方向に沿って開閉される第１引戸と第２引戸とが引分状に配され、かつこれら引戸の戸幅寸法を足し合わせた寸法がこれら引戸に開閉される出入口の幅寸法に応じた寸法とされており、前記第１壁面側には、前記第２引戸よりも戸幅寸法が大とされた前記第１引戸の戸幅寸法に応じた壁幅寸法とされ、かつ前記第１引戸が納められる第１壁部が該第１壁面から直交状に設けられている一方、前記第２壁面側には、前記第２引戸の戸幅寸法に応じた壁幅寸法とされ、かつ前記第２引戸が納められる第２壁部が該第２壁面から直交状に設けられていることを特徴とする。
【０００７】
また、上記目的を達成するために、本発明に係る引戸装置は、本発明に係る引戸構造に用いられる引戸装置である。
【発明の効果】
【０００８】
本発明に係る引戸構造及びこれに用いられる引戸装置は、上述のような構成としたことで、出入口の有効開口幅を確保しながらも、出入口付近のスペースを有効に活用することができる。
【図面の簡単な説明】
【０００９】
【図１】本発明の一実施形態に係る引戸構造の一例及びこれに用いられる引戸装置の一例を模式的に示す一部破断概略横断面図である。
【図２】（ａ）は、同引戸構造及び同引戸装置の一部を省略した一部破断概略正面図、（ｂ）は、（ａ）におけるＸ１−Ｘ１線矢視に対応させた概略横断面図である。
【図３】（ａ）は、図２（ａ）に対応させた一部破断概略正面図、（ｂ）は、（ａ）におけるＸ２−Ｘ２線矢視に対応させた概略横断面図である。
【図４】（ａ）〜（ｃ）は、同引戸構造及び同引戸装置の一部を省略した一部破断概略正面図である。
【図５】（ａ）は、本発明の他の実施形態に係る引戸構造の一例及びこれに用いられる引戸装置の一例を模式的に示す一部破断概略横断面図、（ｂ）は、本発明の更に他の実施形態に係る引戸構造の一例及びこれに用いられる引戸装置の一例を模式的に示す一部破断概略横断面図である。
【発明を実施するための形態】
【００１０】
以下に本発明の実施の形態について、図面に基づいて説明する。
なお、一部の図では、他図に付している詳細な符号の一部を省略している。
また、以下の各実施形態では、引戸装置等を設置した状態を基準として、上下方向等の方向を説明する。
【００１１】
図１〜図４は、第１実施形態に係る引戸構造及びこれに用いられる引戸装置１の一例を模式的に示す図である。
本実施形態に係る引戸構造は、図１〜図３に示すように、対向する第１壁面２と第２壁面３との対向方向に沿って開閉される第１引戸１４と第２引戸１７とが引分状に配された構造とされている。また、同引戸構造は、これら引戸１４，１７の戸幅寸法Ｗ５，Ｗ６を足し合わせた寸法がこれら引戸１４，１７に開閉される出入口１３の幅寸法Ｗ２に応じた寸法とされている。また、同引戸構造は、第１壁面２側に、第２引戸１７よりも戸幅寸法Ｗ５が大とされた第１引戸１４の戸幅寸法Ｗ５に応じた壁幅寸法Ｗ３とされ、かつ第１引戸１４が納められる第１壁部１１を第１壁面２から直交状に設けた構造とされている。また、同引戸構造は、第２壁面３側に、第２引戸１７の戸幅寸法Ｗ６に応じた壁幅寸法Ｗ４とされ、かつ第２引戸１７が納められる第２壁部１２を第２壁面３から直交状に設けた構造とされている。
【００１２】
この引戸構造は、対向する第１壁面２と第２壁面３とによって区画される一方側空間４と、これに隣接する他方側空間５と、を両引戸１４，１７に開閉される出入口１３を介して出入自在に区画する構造とされている。
また、この引戸構造は、例えば、集合住宅や戸建住宅等の住宅内に設けられるものでもよく、また、住宅に限られず、商業施設や公共施設等の他の建物内に設けられるものでもよい。
この引戸構造に用いられる本実施形態に係る引戸装置１は、第１引戸１４と、第２引戸１７と、これら引戸１４，１７を開閉自在にガイドするガイド機構２０と、を備えている。この引戸装置１を、各引戸１４，１７が建て付けられる戸枠や、後記する第１壁部１１及び第２壁部１２の壁下地を備えた構成としてもよく、さらには、第１壁部１１及び第２壁部１２自体をも備えた構成としてもよい。
【００１３】
本実施形態では、一方側空間４を、洗面室４としている。また、この一方側空間４を、浴室に隣接する脱衣室４をも構成するものとしている。つまり、一方側空間４を、洗面・脱衣室４としている。また、この洗面・脱衣室４に、設備機器としての洗面台６と、収納部７と、を設けた構成としている。また、図例では、この洗面・脱衣室４に、洗濯機が設置される防水パン（洗濯機パン）を設けた構成としている。
また、この洗面・脱衣室４に隣接する他方側空間５は、本実施形態では、出入口１３の開口幅方向に沿う方向の両側が第１壁面２と第２壁面３とによって区画された構造とされている。つまり、この他方側空間５と洗面・脱衣室４とは、出入口１３の開口幅方向に沿う方向の寸法（壁面間寸法Ｗ１）が同寸法とされている。また、この他方側空間５を、収納部８，９を設けた収納室５としている。
【００１４】
また、本実施形態では、図２及び図３に示すように、洗面・脱衣室４と収納室５とを区画し、かつ第１壁面２と第２壁面３とに跨るように設けられた壁体１０に出入口１３を設けた構造としている。この壁体１０の第１壁面２側部位を、出入口１３の開口幅方向一方側となる第１壁面２側を区画する第１壁部１１とし、この壁体１０の第２壁面３側部位を、出入口１３の開口幅方向他方側となる第２壁面３側を区画する第２壁部１２としている。つまり、第１壁部１１と第２壁部１２とを、壁体１０の一部としている。また、出入口１３の上方側を、壁体１０の垂れ壁によって区画した例を示している。なお、このような態様に代えて、第１壁部１１と第２壁部１２とが出入口１３を隔てて分離するように、出入口１３を、床面から天井面に亘って設けた構造としてもよい。この場合は、上枠や後記するガイド機構２０等を、天井側に埋込状に設けた構造としてもよい。
【００１５】
これら洗面・脱衣室４及び収納室５の開口幅方向に沿う方向の両側を区画する壁面２，３間の寸法（壁面間寸法）Ｗ１は、住宅やその他の建物の一般的な間取りや寸法モジュールに応じて適宜の寸法に設定されたものでもよい。本実施形態では、これら洗面・脱衣室４及び収納室５を、壁面間寸法Ｗ１が比較的に小さい狭小空間としている。このような狭小空間の壁面間寸法Ｗ１としては、例えば、１５００ｍｍ〜２０００ｍｍ程度としてもよい。また、例えば、第１壁面２及び第２壁面３を構成する各壁体の壁芯間の寸法が、一間（尺モジュールで略１８２０ｍｍ）程度とされたものとしてもよい。つまり、壁面間寸法Ｗ１を、１７００ｍｍ程度としてもよい。また、図例では、洗面・脱衣室４を、平面視して略正方形状のいわゆる一坪洗面とした例を示している。
【００１６】
壁体１０は、間柱等の壁下地の壁厚方向両側に、適宜の壁下地ボード等の面材が固定された構造とされている。また、この壁体１０の壁厚方向両側の表面に、壁紙等の表面化粧シートを貼着した構造としてもよい。また、本実施形態では、この壁体１０の天井側部位に、後記するガイド機構２０を埋込状に設けた構成としている。
出入口１３は、壁体１０を壁厚方向に貫通するように設けられており、正面視して上下方向に長尺な略矩形状とされている。この出入口１３は、第１壁面２から第２壁面３までの壁面間の中央ではなく第２壁面３側に片寄った位置に設けられている。また、この出入口１３は、後記する両引戸１４，１７の戸枠を構成する上枠や縦枠によって区画されたものでもよい。また、本実施形態では、この出入口１３の下側を、床面によって区画した構造としている。
【００１７】
この出入口１３の幅寸法（有効開口幅）Ｗ２は、出入し易いように適宜の寸法としてもよく、また、家具や設備機器の出し入れや、車椅子等の出入が可能な寸法としてもよい。このような観点から、出入口１３の幅寸法Ｗ２を、６５０ｍｍ以上としてもよく、好ましくは、７５０ｍｍ以上としてもよい。また、この出入口１３の幅寸法Ｗ２は、当該出入口１３の両側に各引戸１４，１７が納められる壁部１１，１２の確保が可能なように壁面間寸法Ｗ１に応じて設定されるものでもよい。つまり、この出入口１３の幅寸法Ｗ２を、壁面間寸法Ｗ１の１／２未満としてもよい。つまりは、上記のように壁面間寸法Ｗ１を１７００ｍｍ程度とした場合には、出入口１３の幅寸法Ｗ２を、好ましくは、７５０ｍｍ〜８５０ｍｍ程度としてもよい。
【００１８】
第１壁部１１及び第２壁部１２は、互いの壁厚方向両面が略同一平面状となるように設けられている。本実施形態では、これら第１壁部１１及び第２壁部１２に、第１引戸１４及び第２引戸１７のそれぞれを収容する戸袋空間１１ａ，１２ａを設けた構造としている。つまり、本実施形態では、全開状態の引戸１４，１７が納められる戸袋空間１１ａ，１２ａを設けた戸袋納めの引戸構造としている。
これら壁部１１，１２の戸袋空間１１ａ，１２ａは、壁厚方向に間隔を空けて設けられた壁下地ボード等によって区画されている。また、これら壁部１１，１２の出入口１３側には、互いに向き合う方向に開口し、かつ各引戸１４，１７を各戸袋空間１１ａ，１２ａに出入自在とする戸袋口が設けられている。図例では、壁厚方向に間隔を空けて設けられた中方立状の柱材によって戸袋口の壁厚方向両側を区画した例を示している。
【００１９】
また、これら壁部１１，１２の壁幅寸法Ｗ３，Ｗ４は、全開状態の各引戸１４，１７が納められるように、各引戸１４，１７の戸幅寸法Ｗ５，Ｗ６に応じた寸法とされ、第１壁部１１の壁幅寸法Ｗ３が第２壁部１２の壁幅寸法Ｗ４よりも大とされている。
これら壁部１１，１２の壁幅寸法Ｗ３，Ｗ４は、壁面間寸法Ｗ１及び出入口１３の幅寸法Ｗ２に応じて、また、各壁部１１，１２に隣接して設けられる収納等の奥行寸法の差異等に応じて適宜、設定されるものでもよい。例えば、第１壁部１１の壁幅寸法Ｗ３を、第２壁部１２の壁幅寸法Ｗ４の１．２倍〜３倍程度としてもよく、図例では、２倍程度とした例を示している。
【００２０】
また、本実施形態では、第１壁部１１の壁幅寸法Ｗ３を、当該第１壁部１１の壁厚方向一方側に配される設備機器としての洗面台６の壁幅方向（第１壁部１１の壁幅方向）に沿う寸法としての奥行寸法Ｗ７に応じた寸法としている。また、本実施形態では、第１壁部１１の壁幅寸法Ｗ３を、第１壁面２に背面を当接させて当該第１壁部１１の洗面・脱衣室４側に向く壁面に沿わせるように設置された洗面台６の奥行寸法Ｗ７と略同寸法としている。このような洗面台６の奥行寸法Ｗ７としては、一般的なものと同程度の寸法としてもよく、例えば、５００ｍｍ〜７００ｍｍ程度としてもよく、６００ｍｍ程度としてもよい。また、図例では、第１壁部１１の壁幅寸法Ｗ３を、洗面台６の奥行寸法Ｗ７よりも僅かに大きくした例を示しているが、同寸法としてもよい。なお、第１壁部１１の壁厚方向一方側としての洗面・脱衣室４側に隣接して設置される設備機器としては、洗面台６に限られず、洗濯機や乾燥機等でもよい。
【００２１】
また、本実施形態では、第１壁部１１の壁厚方向他方側となる収納室５側に沿わせるように収納部８を設けた構造としている。この収納部８は、第１壁部１１の壁厚方向に収納奥行方向を沿わせたものでもよく、各引戸１４，１７の開閉方向に収納奥行方向を沿わせたものでもよい。また、この収納部８は、床上に設置される箱状とされたものでもよく、仕切板等によって造作されたものでもよい。また、第１壁部１１の収納室５側に向く面が収納部８の内面の一部を構成する構造としてもよい。
また、本実施形態では、この収納部８の第１壁部１１の壁幅方向に沿う寸法（奥行寸法）を、第１壁部１１の壁幅寸法Ｗ３と略同寸法としている。つまり、第１壁部１１の壁厚方向両側のそれぞれに隣接させて、壁幅方向に沿う寸法が第１壁部１１の壁幅寸法Ｗ３と略同寸法とされた設備機器６と収納部８とを設けた構造としている。なお、第１壁部１１の壁厚方向他方側となる収納室５側に隣接して設けられるものとしては、このような収納部８に限られず、他の設備機器や物品等としてもよい。
【００２２】
第２壁部１２の壁幅寸法Ｗ４は、上記した壁面間寸法Ｗ１から出入口１３の幅寸法Ｗ２及び第１壁部１１の壁幅寸法Ｗ３を差し引いた寸法とされている。この第２壁部１２の壁幅寸法Ｗ４は、例えば、２００ｍｍ〜４００ｍｍ程度としてもよく、３００ｍｍ程度としてもよい。
また、本実施形態では、この第２壁部１２の壁幅寸法Ｗ４に応じた奥行寸法Ｗ８とされた収納部７を、第２壁面３から第２壁部１２の壁厚方向一方側となる洗面・脱衣室４側に沿わせるように設けた構造としている。つまり、収納奥行方向を各引戸１４，１７の開閉方向に沿わせ、奥行寸法Ｗ８が第２壁部１２の壁幅寸法Ｗ４と略同寸法とされた収納部７を、第２壁部１２の洗面・脱衣室４側に沿わせるように設けた構造としている。
【００２３】
この収納部７は、上記と概ね同様、床上に設置される箱状とされたものでもよく、仕切板等によって造作されたものでもよい。また、第２壁部１２の洗面・脱衣室４側に向く面が収納部７の内面の一部を構成する構造としてもよい。また、図例では、収納部７の奥行寸法Ｗ８を、第２壁部１２の壁幅寸法Ｗ４よりも僅かに小さくした例を示しているが、同寸法としてもよい。また、図例では、収納部７の幅寸法（第２壁部１２の壁厚方向に沿う寸法）を、洗面台６の幅寸法（第１壁部１１の壁厚方向に沿う寸法）と略同寸法とした例を示しているが、このような態様に限られない。なお、出入口１３に加え、洗面・収納室４に隣接する廊下やキッチン、リビング等の他の空間に連通する通路や建具によって開閉される出入口を更に設けた構造としてもよい。例えば、第２壁面３に沿うように設けられた収納部７の側部等に、洗面・収納室４と他の空間とを連通させる通路や出入口を設けた構造としてもよい。
【００２４】
また、本実施形態では、第２壁部１２の壁厚方向他方側となる収納室５側に沿わせるように収納部９を設けた構造としている。この収納部９は、上記と概ね同様、第２壁部１２の壁厚方向に収納奥行方向を沿わせたものでもよく、各引戸１４，１７の開閉方向に収納奥行方向を沿わせたものでもよい。また、この収納部９は、床上に設置される箱状とされたものでもよく、仕切板等によって造作されたものでもよい。また、第２壁部１２の収納室５側に向く面が収納部９の内面の一部を構成する構造としてもよい。
また、本実施形態では、この収納部９の第２壁部１２の壁幅方向に沿う寸法（奥行寸法）を、第２壁部１２の壁幅寸法Ｗ４と略同寸法としている。つまり、第２壁部１２の壁厚方向両側のそれぞれに隣接させて、壁幅方向に沿う寸法が第２壁部１２の壁幅寸法Ｗ４と略同寸法とされた収納部７，９を設けた構造としている。なお、第２壁部１２の壁厚方向他方側となる収納室５側に隣接して設けられるものとしては、このような収納部９に限られず、他の設備機器や物品等としてもよい。
【００２５】
また、収納室５は、出入口１３を介してのみ出入自在とされたいわゆるウォークインクローゼットでもよく、他の空間に連通する通路や建具によって開閉される出入口を更に設けたいわゆるウォークスルークローゼットでもよい。この場合、例えば、図１の二点鎖線にて示すように、収納室５と他の空間とを出入口（１３）を介して出入自在に区画するように、本実施形態に係る引戸装置１を用いた引戸構造を更に設けた構造としてもよい。
また、出入口１３の開口幅方向に沿う方向の両側が第１壁面２と第２壁面３とによって区画された収納室５に限られず、出入口１３の開口幅方向に沿う方向の両側が他の壁面によって区画された収納室５としてもよい。また、洗面・脱衣室４に隣接する他方側空間５としては、収納室５に限られず、廊下やキッチン、リビング、玄関スペース、居室等、どのようなものでもよい。
【００２６】
第１引戸１４及び第２引戸１７は、略矩形平板状とされている。これら第１引戸１４及び第２引戸１７は、図２に示すように、閉鎖状態で、出入口１３の閉鎖が可能な構成とされている。一方、これら第１引戸１４及び第２引戸１７は、図１に示すように、全開状態で、各壁部１１，１２の戸袋空間１１ａ，１２ａに収容される構成とされている。図例では、全開状態で、各引戸１４，１７の出入口１３側に向く戸先側端面と各壁部１１，１２の出入口１３側に向く面とが略同一平面状となるように各引戸１４，１７が各戸袋空間１１ａ，１２ａに収容される構成とした例を示している。
【００２７】
これら第１引戸１４及び第２引戸１７の戸幅寸法Ｗ５，Ｗ６を足し合わせた寸法は、出入口１３の幅寸法Ｗ２と略同寸法とされている。この戸幅寸法Ｗ５，Ｗ６を足し合わせた寸法は、出入口１３の遮蔽性の観点等から出入口１３の幅寸法Ｗ２よりも僅かに大きい寸法としてもよい。
これら第１引戸１４及び第２引戸１７の戸幅寸法Ｗ５，Ｗ６は、それぞれが納められる各壁部１１，１２の壁幅寸法Ｗ３，Ｗ４以下の寸法としてもよく、また、各壁部１１，１２の壁幅寸法Ｗ３，Ｗ４と略同寸法としてもよい。図例では、各引戸１４，１７の戸幅寸法Ｗ５，Ｗ６を、各壁部１１，１２の壁幅寸法Ｗ３，Ｗ４よりも小とした例を示している。また、第１引戸１４の戸幅寸法Ｗ５を、第２壁部１２の壁幅寸法Ｗ４よりも大とした例を示している。また、例えば、第１引戸１４の戸幅寸法Ｗ５を、第２引戸１７の戸幅寸法Ｗ６の１．２倍〜３倍程度としてもよく、図例では、２倍程度とした例を示している。また、これら第１引戸１４及び第２引戸１７の上下方向に沿う寸法及び戸厚寸法は、互いに略同寸法としてもよい。
【００２８】
また、本実施形態では、これら第１引戸１４及び第２引戸１７の開閉をガイドするガイド機構２０を、図４に示すように、第１引戸１４及び第２引戸１７のうちの一方の開閉に連動させて他方を開閉させる連動機構としている。また、これら第１引戸１４及び第２引戸１７の開閉をガイドするガイド機構２０を、第１引戸１４及び第２引戸１７を吊下支持する上レール２１を備えた構成としている。また、この上レール２１を含む連動機構２０を、出入口１３の上方側縁に沿わせるように、壁体１０に埋込状に設けた構造としている。
また、図２（ａ）に示すように、一方の引戸としての第１引戸１４の戸厚方向両側の戸先側部位に、手掛けとなる引手１４ａを設けた例を示している。この引手１４ａは、第１引戸１４の戸厚方向両側に掘込状に形成されたものとしてもよい。また、この第１引戸１４の戸先側端面に、出没自在とされた手掛部を設けた構成としてもよい。後記するような連動機構２０を設けた場合には、第１引戸１４側に開閉操作される引手１４ａを設けた構成とすることで、操作性や連動機構２０の安定性等を向上させることができる。なお、このような引手１４ａや出没自在の手掛部を、第１引戸１４に設けた態様に代えて、または加えて、第２引戸１７に設けた態様としてもよい。また、床側に、各引戸１４，１７の下端側をガイドするガイドピン等の下端ガイド部材を設けた構成としてもよく、この場合には、各引戸１４，１７の下端側に、下端ガイド部材が係合する係合溝等を設けた構成としてもよい。
【００２９】
上レール２１は、図４に示すように、出入口１３の幅方向に沿って長尺状とされている。図例では、この上レール２１の長さ寸法を、壁面間寸法Ｗ１に応じた寸法とした例を示しているが、各引戸１４，１７の上端側のガイドが可能なように適宜の寸法としてもよい。各引戸１４，１７の上端部には、この上レール２１にガイドされるランナー１５，１８が設けられている。図例では、各引戸１４，１７の上端部の戸幅方向両端側に一対のランナー１５，１５，１８，１８を設けた例を示している。このような上レール２１及びこれにガイドされるランナー１５，１８としては、適宜、公知のものの採用が可能であり、例えば、上レール２１に設けられたガイド片上を戸厚方向に沿う軸廻りに転動するローラー等を備えたランナー１５，１８としてもよい。
【００３０】
また、連動機構２０は、第１引戸１４及び第２引戸１７のうちの一方に連結された駆動側ユニット２２と、この駆動側ユニット２２に連動するように作動され、他方に連結された従動側ユニット２６と、を備えている。なお、以下では、第１引戸１４に連結された側を、駆動側ユニット２２として説明するが、これを従動側ユニット２２とすることも可能である。これら駆動側ユニット２２及び従動側ユニット２６には、各引戸１４，１７の上端部に設けられた連結部１６，１９が連結されている。図例では、各引戸１４，１７の上端部の戸幅略中央部に単一の連結部１６，１９を設けた例を示しているが、このような態様に限られない。また、本実施形態では、これら駆動側ユニット２２及び従動側ユニット２６を、一方の引戸としての第１引戸１４の開閉に連動させて他方の引戸としての第２引戸１７を開閉させる伝動機構としている。また、駆動側ユニット２２及び従動側ユニット２６を、戸幅方向に間隔を空けて設けられた回転車２３，２４，２７，２８と、回転車２３，２４，２７，２８に巻き掛けられ、各連結部１６，１９が連結された無端状伝動体２５，２９と、を備えた構成としている。これら回転車２３，２４，２７，２８は、戸厚方向に沿う軸廻りに回転自在に支持されている。このような回転車２３，２４，２７，２８や無端状伝動体２５，２９としては、滑車（プーリー）とワイヤーまたはベルトとからなるものや、スプロケットとチェーンとからなるもの等としてもよい。
【００３１】
また、駆動側ユニット２２及び従動側ユニット２６の近接側の回転車２４，２８は、閉鎖状態の各引戸１４，１７の戸先側端部の上方側に位置するように配されている。また、これら回転車２４，２８のそれぞれに同軸状となるように、互いに噛み合う歯車（平歯車）を設けた構成としている。また、各回転車２４，２８の歯車を、各引戸１４，１７の移動距離に対応させて互いに異なる径としている。つまり、駆動側ユニット２２の回転車２４の歯車の歯数を、従動側ユニット２６の回転車２８の歯車の歯数よりも少なくしている。図例では、各引戸１４，１７の移動距離を、それぞれの戸幅寸法Ｗ５，Ｗ６と略同寸法としている。つまり、第１引戸１４の移動距離を、第２引戸１７の移動距離の２倍程度としている。この場合には、従動側ユニット２６の回転車２８の回転数が駆動側ユニット２２の回転車２４の回転数の略１／２となるように各歯車の歯車比や歯数を設定するようにしてもよい。なお、図例では、駆動側ユニット２２及び従動側ユニット２６の離隔側の回転車２３，２７を、各壁面２，３近傍部位に設けた例を示しているが、各引戸１４，１７の全開状態で連結部１６，１９に干渉しないように、適宜の位置に設けるようにしてもよい。
【００３２】
図４（ａ）〜（ｃ）に示すように、閉鎖位置の第１引戸１４を、開放側に移動させれば、第１引戸１４の連結部１６が第２引戸１７から離れる方向に移動し、これにより、無端状伝動体２５によって駆動側ユニット２２の各回転車２３，２４が回転する。また、駆動側ユニット２２の歯車付の回転車２４と逆回りにかつ略１／２の回転数で従動側ユニット２６の歯車付の回転車２８が回転し、無端状伝動体２９に連結部１９を介して連結された第２引戸１７が開放側に移動し、各引戸１４，１７が全開位置となる。また、全開位置から閉鎖する際も同様、第１引戸１４を閉鎖側に移動させれば、第２引戸１７が連動して閉鎖側に移動する。
なお、連動機構２０としては、上記のような歯車による伝動機構を備えたものに限られず、摩擦車による伝動機構を備えたものや、その他、種々の構成とされたものの採用が可能である。また、連動機構２０としては、一方の引戸１４を手動で開閉させることで他方の引戸１７が連動して開閉されるものに限られず、これら引戸１４，１７を電動で開閉させるものとしてもよい。
【００３３】
また、各引戸１４，１７を全開位置及び閉鎖位置の両方または一方で停止させたり、捕捉したりするストッパーやキャッチ機構等を適所に設けた構成としてもよい。
また、両引戸１４，１７または一方の引戸１４を、閉鎖側または開放側に助勢する助勢機構を設けたり、この助勢機構による助勢をロックするロック機構を設けたりしてもよい。
また、両引戸１４，１７を閉鎖位置で施錠する施解錠可能とされたロック機構を設けた構成としてもよい。
【００３４】
本実施形態に係る引戸構造及びこれに用いられる引戸装置１は、上述のような構成としたことで、出入口１３の有効開口幅（幅寸法）Ｗ２を確保しながらも、出入口１３付近のスペースを有効に活用することができる。
つまり、対向する第１壁面２と第２壁面３との対向方向に沿って開閉され、かつ互いの戸幅寸法Ｗ５，Ｗ６を足し合わせた寸法が出入口１３の幅寸法Ｗ２に応じた寸法とされた第１引戸１４と第２引戸１７とを、引分状に配した構造としている。従って、一枚の引戸を片引き状に配した構造と比べて、各引戸１４，１７の戸幅寸法Ｗ５，Ｗ６を小さくすることができ、各引戸１４，１７の軽量化を図ることができる。
【００３５】
また、第１壁面２側に、第２引戸１７よりも戸幅寸法Ｗ５が大とされた第１引戸１４の戸幅寸法Ｗ５に応じた壁幅寸法Ｗ３とされ、かつ第１引戸１４が納められる第１壁部１１を第１壁面２から直交状に設けた構造としている。また、第２壁面３側に、第２引戸１７の戸幅寸法Ｗ６に応じた壁幅寸法Ｗ４とされ、かつ第２引戸１７が納められる第２壁部１２を第２壁面３から直交状に設けた構造としている。つまり、出入口１３の開口幅方向両側に、壁幅寸法Ｗ３が大とされた第１壁部１１と壁幅寸法Ｗ４がこれよりも小とされた第２壁部１２とを設けた構造としている。従って、例えば、第１壁部１１に隣接させて洗面台や調理台等の設備機器６を設置する場合にも、第１壁部１１の壁幅寸法Ｗ３を、設備機器６の奥行寸法Ｗ７に応じた寸法とすることができる。また、第１壁部１１の壁幅寸法Ｗ３をこのような寸法とした場合にも、第２引戸１７及びこれを納める第２壁部１２を設けた構造としているので、狭小空間４への出入口１３の有効開口幅Ｗ２を確保することができる。また、第２壁部１２に隣接させて、例えば、薄型の収納部７，９等を設けることができる。つまり、出入口１３の幅方向両側を区画する第１壁部１１及び第２壁部１２に隣接させて壁幅方向に沿う寸法（奥行寸法）が異なる種々の設備機器６や収納部７，９等を設けることができ、出入口１３付近のスペースを有効に活用することができる。つまりは、出入口１３の幅方向両側を区画する第１壁部１１及び第２壁部１２の壁幅寸法Ｗ３，Ｗ４を、それぞれの壁厚方向一方側に設けられる機器または収納部の壁幅方向に沿う寸法に応じた寸法とすることができる。
【００３６】
また、本実施形態では、第１壁部１１及び第２壁部１２に、第１引戸１４及び第２引戸１７のそれぞれを収容する戸袋空間１１ａ，１２ａを設けた構造としている。従って、各引戸１４，１７をアウトセット納めや袖壁納めとした構造と比べて、両壁部１１，１２の壁厚方向両側のスペースをより有効に活用することができる。つまり、両壁部１１，１２の壁厚方向両側に、種々の設備機器６や収納部７，８，９等を設けることができる。
また、本実施形態では、第１壁部１１の壁幅寸法Ｗ３を、当該第１壁部１１の壁厚方向一方側に配される設備機器（洗面台）６の奥行寸法Ｗ７に応じた寸法としている。従って、第１壁部１１の壁厚方向一方側の空間を、洗面台６の設置スペースとして有効に利用することができる。
【００３７】
また、本実施形態では、第２壁部１２の壁幅寸法Ｗ４に応じた奥行寸法Ｗ８とされた収納部７（９）を第２壁面３から第２壁部１２の壁厚方向一方側に沿うように設けた構造としている。従って、第２壁部１２の壁厚方向一方側の空間を、収納スペースとすることができ、有効に利用することができる。
また、本実施形態では、第１引戸１４及び第２引戸１７のうちの一方の開閉に連動させて他方を開閉させる連動機構２０を設けた構造としている。従って、一方の引戸１４を開とすれば、出入口１３を全開させることができ、また、一方の引戸１４を閉とすれば、出入口１３を閉鎖することができ、車椅子利用者や高齢者等にとっても容易に開閉が可能となり、使い勝手を極めて向上させることができる。つまりは、互いに戸幅寸法Ｗ５，Ｗ６の異なる二枚の引戸１４，１７を引分状に設けた構造としながらも、これら引戸１４，１７を容易に開閉させることができる。
【００３８】
次に、本発明の他の実施形態に係る引戸構造及びこれに用いられる引戸装置の一例について、図面を参照しながら説明する。
図５（ａ）は、第２実施形態に係る引戸構造及びこれに用いられる引戸装置の一例を模式的に示す図である。
なお、上記第１実施形態との相違点について主に説明し、同様の構成については、同一の符号を付し、その説明を省略または簡略に説明する。
【００３９】
本実施形態に係る引戸構造は、上記同様、本実施形態に係る引戸装置１Ａを用いた構造とされている。この引戸構造が設けられる第１壁面２と第２壁面３との壁面間寸法Ｗ１は、上記第１実施形態と同様とされている。また、出入口１３の幅寸法Ｗ２及び各引戸１４，１７の戸幅寸法Ｗ５，Ｗ６は、上記第１実施形態と同様とされている。また、図示は省略しているが、各引戸１４，１７の開閉をガイドするガイド機構としての連動機構２０が設けられている。また、本実施形態においても第１壁部１１Ａ及び第２壁部１２Ａのそれぞれに、各引戸１４，１７を収容する戸袋空間１１Ａａ，１２Ａａを設けた構造としている。
【００４０】
本実施形態では、対向する第１壁面２と第２壁面３とによって区画される一方側空間４Ａを、収納部７Ａ，８Ａが設けられた収納室４Ａとしている。また、これに隣接する他方側空間５Ａを、設備機器としての厨房装置（調理台）６Ａが設置された台所空間（厨房スペース、キッチンスペース）５Ａとしている。図例では、シンク（流し）を有した流し台及びコンロを有したコンロ付調理台を備えた厨房装置６Ａを示しているが、流し台及びコンロ付調理台のうちの一方を備えたものや、作業台のみを備えたものとしてもよい。
【００４１】
収納室４Ａは、台所空間５Ａに隣接して設けられるいわゆるパントリーを構成するものでもよく、また、上記同様、出入口１３のみを介して出入自在とされたものでもよく、他の通路や出入口を介して他の空間に連通されたものでもよい。
また、台所空間５Ａは、出入口１３のみを介して出入自在とされたものでもよく、ダイニングやリビングが連なるように設けられたものでもよい。図例では、この台所空間５Ａの第１壁面２に対向する壁面の図示を省略した例を示しているが、上記同様、第２壁面３によって区画されたものでもよく、他の壁面によって区画されたものでもよい。
【００４２】
また、本実施形態では、第１壁部１１Ａの壁幅寸法Ｗ３Ａを、当該第１壁部１１Ａの壁厚方向一方側に配される設備機器としての厨房装置６Ａの奥行寸法Ｗ７Ａに応じた寸法としている。また、本実施形態では、第１壁部１１Ａの壁幅寸法Ｗ３Ａを、第１壁面２に背面を当接させて、第１壁部１１Ａの台所空間５Ａ側に向く壁面に沿わせるように設置された厨房装置６Ａの奥行寸法Ｗ７Ａと略同寸法としている。このような厨房装置６Ａの奥行寸法Ｗ７Ａとしては、一般的なものと同程度の寸法としてもよく、例えば、５５０ｍｍ〜７５０ｍｍ程度としてもよく、６５０ｍｍ程度としてもよい。つまりは、第１壁部１１Ａの壁幅寸法Ｗ３Ａを、上記第１実施形態よりも大としてもよい。なお、第１壁部１１Ａの壁厚方向一方側としての台所空間５Ａ側に隣接して設置される設備機器としては、厨房装置６Ａに限られず、冷蔵庫や物品洗浄乾燥装置等としてもよい。
【００４３】
また、本実施形態においても、上記第１実施形態と概ね同様、第１壁部１１Ａの壁厚方向他方側となる収納室４Ａ側に沿わせるように収納部８Ａを設けた構造としている。この収納部８Ａは、上記同様、第１壁部１１Ａの壁厚方向に収納奥行方向を沿わせたものでもよく、各引戸１４，１７の開閉方向に収納奥行方向を沿わせたものでもよい。また、本実施形態においても、この収納部８Ａの第１壁部１１Ａの壁幅方向に沿う寸法（奥行寸法）を、第１壁部１１Ａの壁幅寸法Ｗ３Ａと略同寸法としている。
また、本実施形態では、第１壁部１１Ａの壁幅寸法Ｗ３Ａに対応させて第２壁部１２Ａの壁幅寸法Ｗ４Ａを、上記第１実施形態よりも小としている。この第２壁部１２Ａの壁幅寸法Ｗ４Ａは、例えば、１５０ｍｍ〜３５０ｍｍ程度としてもよく、２５０ｍｍ程度としてもよい。なお、各引戸１４，１７の戸幅寸法Ｗ５，Ｗ６を、上記第１実施形態と同様とした態様に代えて、各壁部１１Ａ，１２Ａの壁幅寸法Ｗ３Ａ，Ｗ４Ａに対応させて第１実施形態とは異なる戸幅寸法Ｗ５，Ｗ６としてもよい。
【００４４】
また、本実施形態においても、上記第１実施形態と概ね同様、この第２壁部１２Ａの壁幅寸法Ｗ４Ａに応じた奥行寸法Ｗ８Ａとされた収納部７Ａを、第２壁面３から第２壁部１２Ａの壁厚方向一方側となる収納室４Ａ側に沿わせるように設けた構造としている。つまり、収納奥行方向を各引戸１４，１７の開閉方向に沿わせ、奥行寸法Ｗ８Ａが第２壁部１２Ａの壁幅寸法Ｗ４Ａと略同寸法とされた収納部７Ａを、第２壁部１２Ａの収納室４Ａ側に沿わせるように設けた構造としている。また、本実施形態では、第２壁部１２Ａの壁厚方向他方側となる台所空間５Ａ側には、収納部等を設けていない例を示しているが、設けた構造としてもよい。
上記構成とされた本実施形態に係る引戸構造及びこれに用いられる引戸装置１Ａにおいても、上記した第１実施形態と概ね同様の効果を奏する。
【００４５】
次に、本発明の更に他の実施形態に係る引戸構造及びこれに用いられる引戸装置の一例について、図面を参照しながら説明する。
図５（ｂ）は、第３実施形態に係る引戸構造及びこれに用いられる引戸装置の一例を模式的に示す図である。
なお、上記各実施形態との相違点について主に説明し、同様の構成については、同一の符号を付し、その説明を省略または簡略に説明する。
【００４６】
本実施形態に係る引戸構造は、上記同様、本実施形態に係る引戸装置１Ｂを用いた構造とされている。この引戸構造が設けられる第１壁面２と第２壁面３との壁面間寸法Ｗ１は、上記第１実施形態と同様とされている。また、出入口１３の幅寸法Ｗ２及び各引戸１４，１７の戸幅寸法Ｗ５，Ｗ６は、上記第１実施形態と同様とされている。
本実施形態では、対向する第１壁面２と第２壁面３とによって区画される一方側空間４Ｂを、設備機器としての便器装置６Ｂが設置されたトイレ空間４Ｂとしている。図例では、便器装置６Ｂを、床等の設置面に設置される着座式のいわゆる洋式の便器装置としている。また、トイレ空間４Ｂを、各壁部１１Ｂ，１２Ｂの壁厚方向に沿う方向となる奥行寸法が比較的に小さい空間とした例を示している。図例では、このトイレ空間４Ｂの奥行寸法を、壁面間寸法Ｗ１の１／２程度とした例を示している。つまり、トイレ空間４Ｂを、半坪程度の空間とした例を示している。
【００４７】
また、本実施形態においても、第１壁部１１Ｂの壁幅寸法Ｗ３Ａを、当該第１壁部１１Ｂの壁厚方向一方側に配される設備機器としての便器装置６Ｂの奥行寸法Ｗ７Ｂに応じた寸法としている。また、本実施形態では、第１壁部１１Ｂの壁幅寸法Ｗ３Ａを、第１壁面２に背面を当接させて、第１壁部１１Ｂのトイレ空間４Ｂ側に隣接して設置された便器装置６Ｂの奥行寸法Ｗ７Ｂと略同寸法としている。このような便器装置６Ｂの奥行寸法Ｗ７Ｂとしては、一般的なものと同程度の寸法としてもよく、例えば、６００ｍｍ〜７００ｍｍ程度としてもよく、６５０ｍｍ程度としてもよい。
また、本実施形態では、第１壁部１１Ｂの壁厚方向他方側には、収納部等を設けていない例を示している。
【００４８】
また、本実施形態においても、上記各実施形態と概ね同様、第２壁部１２Ｂの壁幅寸法Ｗ４Ａに応じた奥行寸法Ｗ８Ｂとされた収納部としての手洗付キャビネット７Ｂを、第２壁部１２Ｂの壁厚方向一方側となるトイレ空間４Ｂ側に隣接させて設けた構造としている。つまり、収納奥行方向を各引戸１４，１７の開閉方向に沿わせ、奥行寸法Ｗ８Ｂが第２壁部１２Ｂの壁幅寸法Ｗ４Ａと略同寸法とされた手洗付キャビネット７Ｂを、第２壁部１２Ｂのトイレ空間４Ｂ側に沿わせるように設けた構造としている。このような手洗付キャビネット７Ｂとしては、上面側に手洗器を有し、下方側が収納部とされたものでもよい。なお、第２壁部１２Ｂの壁厚方向一方側に隣接して設けられるものとしては、手洗付キャビネット７Ｂに限られず、手洗器を有さない収納部としてもよく、または収納部を有さない手洗器としてもよく、その他のものとしてもよい。
【００４９】
また、本実施形態では、第２壁部１２Ｂの壁厚方向他方側にも、収納部等を設けていない例を示している。これら第１壁部１１Ｂ及び第２壁部１２Ｂの壁厚方向他方側としてのトイレ空間４Ｂに隣接する他方側空間５Ｂとしては、廊下や、玄関ホール、リビング等、どのような空間でもよい。
また、本実施形態では、第１壁部１１Ｂ及び第２壁部１２Ｂに各引戸１４，１７を収容する戸袋空間を設けずに、これら壁部１１Ｂ，１２Ｂに沿わせるように各引戸１４，１７が納められる構造としている。また、これら壁部１１Ｂ，１２Ｂの壁厚方向他方側に沿ってアウトセット状に各引戸１４，１７が納められる構造としている。図例では、これら壁部１１Ｂ，１２Ｂの壁厚方向他方側に向く壁面を、他方側空間５Ｂの他の壁面と同一平面状とした例を示している。
【００５０】
なお、このようなアウトセット納めとした態様に代えて、第１壁部１１Ｂ及び第２壁部１２Ｂの壁厚方向他方側に、各引戸１４，１７が納められる凹所を設けた袖壁納めとしてもよい。このように各引戸１４，１７をアウトセット納めや袖壁納めとすれば、上記のような戸袋納めとした場合と比べて、ガイド機構（連動機構）２０のメンテナンス等を容易に行うことができる。また、各壁部１１Ｂ，１２Ｂ自体に、壁厚方向他方側に開口する収納空間を設け、これら収納空間が各引戸１４，１７によって開閉されるような構造とすることもできる。また、各壁部１１Ｂ，１２Ｂの壁厚方向他方側においてアウトセット納めとし、これら壁部１１Ｂ，１２Ｂに連なる他方側空間５の壁面側に収納部等が設けられない場合には、各引戸１４，１７の戸幅寸法Ｗ５，Ｗ６を、各壁部１１Ｂ，１２Ｂの壁幅寸法Ｗ３Ａ，Ｗ４Ａよりも僅かに大きくするようなこともできる。また、アウトセット納めとすれば、リフォーム等によって後付的に引戸装置１Ｂを設置する場合（引戸構造を構築する場合）にも容易に対応することができる。
【００５１】
上記構成とされた本実施形態に係る引戸構造及びこれに用いられる引戸装置１Ｂにおいても、上記した第１実施形態と概ね同様の効果を奏する。
なお、本実施形態では、各壁部１１Ｂ，１２Ｂの壁厚方向他方側に沿って各引戸１４，１７が納められる構造とした例を示しているが、各壁部１１Ｂ，１２Ｂの壁厚方向一方側に沿って各引戸１４，１７が納められる構造としてもよい。この場合において各壁部１１Ｂ，１２Ｂの壁厚方向一方側に隣接させて設備機器や収納部等を設ける場合には、各引戸１４，１７の開閉が可能なように適宜のクリアランスを設けた構造としてもよい。
【００５２】
また、上記した各実施形態に係る引戸構造及び引戸装置１，１Ａ，１Ｂにおける互いに異なる構成を、適宜、組み替えたり、組み合わせたりして適用するようにしてもよい。例えば、上記第１実施形態及び第２実施形態おいて説明した引戸構造及び引戸装置１，１Ａを、上記第３実施形態のようにアウトセット納めや袖壁納め等としてもよい。また、上記第３実施形態おいて説明した引戸構造及び引戸装置１Ｂを、上記各実施形態のように戸袋納めとすることも可能である。その他、種々の組み替えや組み合わせが可能である。
また、上記各実施形態では、各引戸１４，１７を開閉自在に吊下支持するガイド機構（連動機構）２０を設けた例を示しているが、下荷重型で開閉自在にガイドする構造としてもよい。この場合には、各引戸１４，１７の下端側に戸車等を設けた構造としてもよい。
また、上記各実施形態では、第１引戸１４及び第２引戸１７のうちの一方の開閉に連動させて他方を開閉させる連動機構２０を設けた例を示しているが、このような連動機構２０を設けないようにしてもよい。
【００５３】
また、上記各実施形態では、第１壁部１１，１１Ａ，１１Ｂの壁厚方向一方側に種々の設備機器６，６Ａ，６Ｂが設置される構造とした例を示しているが、このような態様に限られない。例えば、壁幅方向に沿う寸法が互いに異なる被収納物を収納するような箇所に、上記各実施形態に係る引戸構造及び引戸装置１，１Ａ，１Ｂを設けた構成としてもよい。例えば、第１壁面２と第２壁面３とによって区画される空間（狭小空間）４，４Ａ，４Ｂを、第１壁部１１，１１Ａ，１１Ｂの壁厚方向一方側が衣類等の収納スペースとされ、第２壁部１２，１２Ａ，１２Ｂの壁厚方向他方側が靴等の収納スペースとされた玄関収納室等としてもよい。第１壁面２と第２壁面３とによって区画される空間（狭小空間）４，４Ａ，４Ｂとしては、その他、種々の空間でもよく、例えば、商業施設や公共施設の個室や、資料室等でもよい。この場合は、例えば、第１壁部１１，１１Ａ，１１Ｂの壁厚方向一方側に、設備機器としてのベッドや机、書架等が設置される構造等としてもよい。上記各実施形態に係る引戸構造及び引戸装置１，１Ａ，１Ｂを設ける箇所としては、その他、種々の箇所としてもよい。
【符号の説明】
【００５４】
１，１Ａ，１Ｂ        引戸装置
２                    第１壁面
３                    第２壁面
６                    洗面台（設備機器）
６Ａ                  厨房装置（設備機器）
６Ｂ                  便器装置（設備機器）
７，７Ａ              収納部
７Ｂ                  手洗付キャビネット（収納部）
９                    収納部
１１，１１Ａ，１１Ｂ  第１壁部
１１ａ，１１Ａａ      戸袋空間
１２，１２Ａ，１２Ｂ  第２壁部
１２ａ，１２Ａａ      戸袋空間
１３                  出入口
１４                  第１引戸
１７                  第２引戸
２０                  連動機構
Ｗ２                  出入口の幅寸法
Ｗ３，Ｗ３Ａ          第１壁部の壁幅寸法
Ｗ４，Ｗ４Ａ          第２壁部の壁幅寸法
Ｗ５                  第１引戸の戸幅寸法
Ｗ６                  第２引戸の戸幅寸法
Ｗ７                  洗面台の奥行寸法（設備機器の壁幅方向に沿う寸法）
Ｗ７Ａ                厨房装置の奥行寸法（設備機器の壁幅方向に沿う寸法）
Ｗ７Ｂ                便器装置の奥行寸法（設備機器の壁幅方向に沿う寸法）
Ｗ８，Ｗ８Ａ，Ｗ８Ｂ  収納部の奥行寸法
【図１】
2017089296.tif 000003
【図２】
2017089296.tif 000004
【図３】
2017089296.tif 000005
【図４】
2017089296.tif 000006
【図５】
2017089296.tif 000007